(57)【要約】  【課題】撮影時に選択されていた領域が撮影画像上でどこに位置しているかがわかるように、当該領域を含む画像を再生表示する表示制御装置を提供する。  【解決手段】電子カメラが記録媒体１２６（図１）に記録されているデータに基づいて表示モニタ１２８（図１）に再生表示画像を表示するとき、再生表示画像２ｄの右上にフォーカスエリアを示す表示２ｃを重ねて表示する。表示２ｃは、電子カメラに備えられているフォーカスエリアを表す。表示２ｃでは、グループ測距ＡＦモード時のグループを構成する５つのフォーカスエリアがグループ以外のフォーカスエリアを示すマークと異なる態様で表示される。表示２ｃでは、主要被写体に合焦したフォーカスエリアを示すマークがグループ測距ＡＦモードのグループを構成する他の４つのフォーカスエリアを示すマークと異なる態様で表示される。表示２ｃでは、再生表示画像の中央に対応するフォーカスエリアを示すマークがピーキング表示される。  【選択図】図８
2005303522.tif 000002
【特許請求の範囲】
【請求項１】
画像を表示装置に再生表示させる表示制御装置において、
前記画像のデータから当該画像を撮影した時に選択されていた領域を含む所定範囲のデータを抽出し、抽出データによる再生画像が前記表示装置の画像表示領域の大きさに合致するように前記抽出データを用いて表示画像を生成する表示画像生成手段と、
前記画像における前記選択されていた領域の位置を示す情報を生成する情報生成手段と、
前記生成された表示画像および情報をそれぞれ前記表示装置に再生表示させる制御手段とを備えることを特徴とする表示制御装置。
【請求項２】
請求項１に記載の表示制御装置において、
前記情報生成手段は、前記選択されていた領域に関して撮影時に設定されていた動作モードを示す情報をさらに生成することを特徴とする表示制御装置。
【請求項３】
請求項２に記載の表示制御装置において、
前記撮影時に選択されていた領域は焦点検出用の領域であり、
前記撮影時に設定されていた動作モードは、１つの焦点検出用領域に基づいて焦点調節状態を検出する第１のＡＦモード、および複数の焦点検出用領域に基づいて焦点調節状態の検出する第２のＡＦモードのいずれか一方のＡＦモードであり、
前記情報生成手段は、前記第１のＡＦモード時に、少なくとも焦点検出された前記１つの焦点検出用領域の位置を示す情報を生成し、前記第２のＡＦモード時に、前記複数の焦点検出用領域の位置および焦点検出された焦点検出用領域の位置を示す情報を生成することを特徴とする表示制御装置。
【請求項４】
請求項２または３に記載の表示制御装置において、
前記表示画像生成手段は、倍率変更指示に応じて表示倍率が異なる表示画像を生成し、  前記情報生成手段は、前記生成された表示画像の表示倍率が最大倍率の場合に最大倍率を示す情報をさらに生成することを特徴とする表示制御装置。
【請求項５】
請求項４に記載の表示制御装置において、
前記制御手段は、前記焦点検出された焦点検出用領域の位置を示す情報および前記最大倍率を示す情報を、他の焦点検出用領域の位置を示す情報と異なる表示態様で前記表示装置に表示させることを特徴とする表示制御装置。
【請求項６】
請求項１〜５のいずれか一項に記載の表示制御装置と、
請求項１〜５のいずれか一項に記載の表示装置とを備えることを特徴とするカメラ。
【請求項７】
画像のデータから当該画像を撮影した時に選択されていた領域を含む所定範囲のデータを抽出する処理と、
前記抽出データによる再生画像が表示装置の画像表示領域の大きさに合致するように前記抽出データを用いて表示画像を生成する処理と、
前記画像における前記選択されていた領域の位置を示す情報を生成する処理と、
前記生成した表示画像および情報をそれぞれ前記表示装置に再生表示させる処理とをコンピュータ装置上で実行する画像表示プログラム。
【発明の詳細な説明】
【技術分野】
【０００１】
本発明は、電子画像を表示する表示制御装置に関する。
【背景技術】
【０００２】
撮影した画像の合焦状態を確認できるようにした撮像装置が知られている（特許文献１参照）。特許文献１には、撮影時に合焦に用いられた測距枠を含む所定範囲（拡大枠）内の画像を、液晶表示装置の画面全体に拡大表示するようにしたデジタルカメラが開示されている。撮影者は、拡大表示された画像で合焦状態の確認（ピントチェック）を行う。
【０００３】
【特許文献１】特開２００３−１４３４４４号公報
【発明の開示】
【発明が解決しようとする課題】
【０００４】
特許文献１に記載の技術では、拡大表示画像が表示装置に表示されているとき、当該表示画像が撮影画像においてどの位置に対応するかを知ることができない。
【課題を解決するための手段】
【０００５】
本発明による表示制御装置は、画像を表示装置に再生表示させる表示制御装置に適用され、画像のデータから当該画像を撮影した時に選択されていた領域を含む所定範囲のデータを抽出し、抽出データによる再生画像が表示装置の画像表示領域の大きさに合致するように抽出データを用いて表示画像を生成する表示画像生成手段と、画像における選択されていた領域の位置を示す情報を生成する情報生成手段と、生成された表示画像および情報をそれぞれ表示装置に再生表示させる制御手段とを備えることを特徴とする。
上記情報生成手段は、選択されていた領域に関して撮影時に設定されていた動作モードを示す情報をさらに生成することもできる。この場合、撮影時に選択されていた領域は焦点検出用の領域であり、撮影時に設定されていた動作モードは、１つの焦点検出用領域に基づいて焦点調節状態を検出する第１のＡＦモード、および複数の焦点検出用領域に基づいて焦点調節状態の検出する第２のＡＦモードのいずれか一方のＡＦモードである。情報生成手段は、第１のＡＦモード時に、少なくとも焦点検出された１つの焦点検出用領域の位置を示す情報を生成し、第２のＡＦモード時に、複数の焦点検出用領域の位置および焦点検出された焦点検出用領域の位置を示す情報を生成することもできる。
表示画像生成手段は、倍率変更指示に応じて表示倍率が異なる表示画像を生成してもよく、この場合の情報生成手段は、生成された表示画像の表示倍率が最大倍率の場合に最大倍率を示す情報をさらに生成することもできる。制御手段は、焦点検出された焦点検出用領域の位置を示す情報および最大倍率を示す情報を、他の焦点検出用領域の位置を示す情報と異なる表示態様で表示装置に表示させることもできる。
本発明によるカメラは、請求項１〜５のいずれか一項に記載の表示制御装置と、請求項１〜５のいずれか一項に記載の表示装置とを備えることを特徴とする。
本発明による画像表示プログラムは、画像のデータから当該画像を撮影した時に選択されていた領域を含む所定範囲のデータを抽出する処理と、抽出データによる再生画像が表示装置の画像表示領域の大きさに合致するように抽出データを用いて表示画像を生成する処理と、画像における選択されていた領域の位置を示す情報を生成する処理と、生成した表示画像および情報をそれぞれ表示装置に再生表示させる処理とをコンピュータ装置上で実行することを特徴とする。
【発明の効果】
【０００６】
本発明によれば、撮影画像を再生表示する場合、焦点検出用領域などの撮影時に選択されていた領域が撮影画像上のどこに位置しているかがわかるように当該領域を含む画像を表示できる。
【発明を実施するための最良の形態】
【０００７】
以下、図面を参照して本発明を実施するための最良の形態について説明する。図１は、本発明の一実施の形態による表示制御装置を備える電子スチルカメラの要部構成を説明するブロック図である。図１において、演算回路１０１はマイクロコンピュータなどによって構成される。演算回路１０１は、後述する各ブロックから出力される信号を入力して所定の演算を行い、演算結果に基づく制御信号を各ブロックへ出力する。
【０００８】
撮像素子１２１は、ＣＣＤイメージセンサなどによって構成される。撮像素子１２１は、撮影レンズＬを通過した被写体光による像を撮像し、撮像信号をＡ／Ｄ変換回路１２２へ出力する。Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定の動作タイミングで駆動される。
【０００９】
画像処理回路１２３は、ＡＳＩＣなどによって構成される。画像処理回路１２３は、ディジタル変換後の画像データにホワイトバランス処理などの画像処理を行う他、画像処理後の画像データを所定の形式で圧縮する圧縮処理、圧縮された画像データを伸長する伸長処理などを行う。バッファメモリ１２５は、画像処理回路１２３によって処理される画像データを一時的に格納する。記録媒体１２６は、カメラに対して着脱可能なメモリカードなどによって構成される。記録媒体１２６には画像処理後の画像データが記録される他、当該画像の撮影時に電子カメラに設定されていた焦点検出モード（ＡＦモード）および焦点検出に用いられた焦点検出領域を示す情報が当該画像のデータに関連づけて記録される。ＡＦモードの詳細については後述する。なお、画像処理を施さない画像データを記録媒体１２６に記録することも可能に構成されている。
【００１０】
表示回路１２７はフレームメモリを含み、表示モニタ１２８に表示するための画像データを生成し、生成した表示用データをフレームメモリへ記録する。表示用の画像データは、記録媒体１２６へ記録する前の画像データ、もしくは記録媒体１２６から読み出した画像データを用いて生成される。表示モニタ１２８は、たとえば、液晶表示モニタなどによって構成され、フレームメモリ内に記録された表示用画像データによる画像を再生表示する。
【００１１】
測光装置１１１は被写体光量を検出し、検出信号を演算回路１０１へ出力する。演算回路１０１は、この検出信号を用いて被写体輝度を算出する。演算回路１０１は、算出した被写体輝度および設定されている撮像感度を用いて所定の露出演算を行う。
【００１２】
焦点検出装置１１２は、撮影レンズＬによる焦点位置の調節状態を検出し、検出信号を演算回路１０１へ出力する。焦点調節状態の検出は、撮影画面における複数の領域（焦点検出領域）についてそれぞれ行うことが可能に構成されている。図２は、焦点検出領域を説明する図である。図２においてａ〜ｋで示される１１箇所のマーク（中抜き黒四角）が焦点検出領域（フォーカスエリア）に対応する。
【００１３】
焦点検出装置１１２は、フォーカスエリアに対応する光束を用いて、たとえば、周知の位相差検出方式によって焦点調節状態の検出を行う。すなわち、焦点検出の対象とするフォーカスエリアに対応する光束について、不図示の焦点検出光学系を介して一対の被写体像をＡＦセンサ（不図示）上に結像させ、ＡＦセンサ上の一対の被写体像の相対間隔に基づいて撮影レンズＬによる焦点位置の調節状態（デフォーカス量）を算出する。
【００１４】
本実施形態の電子カメラは複数のＡＦモードを有する。第１のＡＦモードは、１１個のフォーカスエリアの中からあらかじめ選択されている１つのフォーカスエリアを用いて焦点検出を行う単測距ＡＦモードである。この場合の焦点検出装置１１２は、１つのフォーカスエリアのみを使用してデフォーカス量を得る。第２のＡＦモードは、複数のフォーカスエリアを用いて焦点検出を行うグループ測距ＡＦモードである。この場合の焦点検出装置１１２は、たとえば、上記１１個のフォーカスエリアのうちグループ化されている５つのフォーカスエリアを使用してそれぞれデフォーカス量を求め、カメラに最至近の被写体に対応するデフォーカス量を採用する。つまり、第２のＡＦモードは５つのフォーカスエリアの中で最至近の被写体に対応するフォーカスエリアを選択するものといえる。
【００１５】
演算回路１０１は、デフォーカス量に応じて撮影レンズＬ内のフォーカスレンズ（不図示）の駆動量を演算し、フォーカスレンズを光軸方向に進退駆動するようにレンズ駆動装置１１３へ指令を送る。レンズ駆動装置１１３は、演算回路１０１の指令に応じてフォーカスレンズ（不図示）を進退駆動し、撮影レンズＬの焦点位置を調節する。
【００１６】
表示装置１１４は、演算回路１０１の指令によりシャッター速度（シャッター秒時）、絞り値、設定されているＡＦモードなどの撮影情報を表示する。
【００１７】
半押しスイッチＳＷ１は、不図示のレリーズ操作ボタンの押下げ操作に連動してオン／オフされるスイッチである。半押しスイッチＳＷ１は、レリーズ操作ボタンが半押し操作位置より深く押下操作されるとオンし、押下げ量が半押し操作位置より浅くなるとオフする。
【００１８】
全押しスイッチＳＷ２は、不図示のレリーズ操作ボタンの押下げ操作に連動してオン／オフされるスイッチである。全押しスイッチＳＷ２は、レリーズ操作ボタンが半押し操作位置よりさらに深い全押し操作位置まで押下操作されるとオンし、押下げ量が全押し操作位置より浅くなるとオフする。
【００１９】
半押しスイッチＳＷ１および全押しスイッチＳＷ２のオン／オフ信号は、レリーズ操作信号としてそれぞれ演算回路１０１へ入力される。
【００２０】
設定操作部材１１５は、電子カメラの各種スイッチ類を含み、設定操作に応じた操作信号を演算回路１０１へ出力する。図３は、電子カメラの背面図である。図３において、電子カメラ１の背面略中央に表示モニタ２（図１の１２８に対応する）が配設されている。表示モニタ２の左側に上から再生スイッチ６ａ、削除スイッチ６ｂ、メニュースイッチ６ｃ、および決定スイッチ６ｄが設けられている。また、表示モニタ２の右側には十字キー４が配設され、電子カメラ１の背面右上部にはコマンドダイヤル５が配設される。さらにまた、電子カメラ１を横位置に構えた場合と縦位置に構えた場合のそれぞれに操作しやすい位置に、焦点調節指示スイッチ３ａおよび３ｂが設けられる。
【００２１】
再生スイッチ６ａは、表示モニタ２に再生表示画像を表示させるための操作信号を出力する。削除スイッチ６ｂは、画像データの記録不要を指示したり、記録媒体１２６に記録されているデータの削除を指示するための操作信号を出力する。メニュースイッチ６ｃは、ＡＦモードの設定をはじめとする撮影機能の設定メニューを表示モニタ２に表示させるための操作信号を出力する。決定スイッチ６ｄは、設定メニューの項目を選択決定するための操作信号を出力する。コマンドダイヤル５は、選択項目を変更したり、表示モニタ２に表示されている再生表示画像のコマを変更するための操作信号を出力したりする。十字キー４は、フォーカスエリアの選択位置を上下左右に移動させるための操作信号を出力する。焦点調節指示スイッチ３ａ（３ｂ）は、電子カメラ１に焦点調節の実行（焦点調節状態の検出およびフォーカスレンズの駆動）を指示するための操作信号を出力したり、表示モニタ２に表示されている再生表示画像の倍率を変更するための操作信号を出力したりする。なお、焦点調節指示スイッチ３ａおよび３ｂは同一機能である。
【００２２】
演算回路１０１は、上記設定操作部材１１５を構成するスイッチ類から操作信号が入力されると、操作信号に応じた処理を行う。
【００２３】
本発明は、上記電子カメラで表示モニタ２（１２８）に再生表示画像を表示する場合の表示内容に特徴を有し、当該画像の撮影時に電子カメラに選択されていたＡＦモード、および焦点検出時に採用したデフォーカス量に対応するフォーカスエリア位置を示す表示を当該画像の表示とともに行うようにしたものである。
【００２４】
電子カメラの演算回路１０１で行われるカメラ処理の流れについて、図４のフローチャートを参照して説明する。図４の処理によるプログラムは、電子カメラのメインスイッチ（不図示）がオンされると起動する。
【００２５】
図４のステップＳ１１において、演算回路１０１は、再生スイッチ６ａが操作されたか否かを判定する。演算回路１０１は、再生スイッチ６ａから操作信号が入力された場合にステップＳ１１を肯定判定してステップＳ１３へ進み、再生スイッチ６ａから操作信号が入力されない場合にはステップＳ１１を否定判定し、ステップＳ１２へ進む。
【００２６】
ステップＳ１３において、演算回路１０１は、表示モニタ１２８に再生表示画像を表示する処理を行ってステップＳ１２へ進む。表示処理の詳細については後述する。
【００２７】
ステップＳ１２において、演算回路１０１は、焦点調節の実行指示（ＡＦＯＮ）が行われたか否かを判定する。演算回路１０１は、焦点調節指示スイッチ３ａもしくは３ｂから操作信号が入力されると、ステップＳ１２を肯定判定してステップＳ１４へ進み、焦点調節指示スイッチ３ａおよび３ｂのいずれからも操作信号が入力されない場合にはステップＳ１２を否定判定し、ステップＳ１５へ進む。
【００２８】
ステップＳ１４において、演算回路１０１は、焦点調節状態の検出およびフォーカスレンズの駆動（オートフォーカス調節）を指示してステップＳ１１へ戻る。
【００２９】
ステップＳ１５において、演算回路１０１は、半押し操作されたか否かを判定する。演算回路１０１は、半押しスイッチＳＷ１から操作信号が入力されるとステップＳ１５を肯定判定してステップＳ１６へ進み、半押しスイッチＳＷ１から操作信号が入力されない場合にはステップＳ１５を否定判定し、ステップＳ１１へ戻る。
【００３０】
ステップＳ１６において、演算回路１０１は、焦点調節状態の検出およびフォーカスレンズの駆動（オートフォーカス調節）を指示してステップＳ１７へ進む。ステップＳ１７において、演算回路１０１は、露出演算を行ってステップＳ１８へ進む。なお、本実施形態では、半押し操作に応じてオートフォーカス調節を行う（シングルＡＦ）ように設定されている。
【００３１】
ステップＳ１８において、演算回路１０１は、全押し操作されたか否かを判定する。演算回路１０１は、全押しスイッチＳＷ２から操作信号が入力されるとステップＳ１８を肯定判定してステップＳ２０へ進み、全押しスイッチＳＷ２から操作信号が入力されない場合にはステップＳ１８を否定判定し、ステップＳ１９へ進む。
【００３２】
ステップ１９において、演算回路１０１は、半押し操作が解除されたか否かを判定する。演算回路１０１は、半押しスイッチＳＷ１から操作信号が入力されていない場合はステップＳ１９を肯定判定してステップＳ１１へ戻り、半押しスイッチＳＷ１から操作信号が継続して入力されている場合にはステップＳ１９を否定判定し、ステップＳ１８へ戻る。
【００３３】
ステップＳ２０において、演算回路１０１は、最新の被写体輝度を用いて露出演算を行い、ステップＳ２１へ進む。ステップＳ２１において、演算回路１０１は、露出演算結果に基づいて撮影処理を行い、ステップＳ２２へ進む。撮影処理では、撮像素子１２１に対する露出制御や画像処理が施される。ただし、画像処理を施さないように設定されている場合には画像処理が省略される。
【００３４】
ステップＳ２２において、演算回路１０１は、削除スイッチ６ｂが操作されたか否かを判定する。演算回路１０１は、全押し操作後所定時間内に削除スイッチ６ｂから操作信号が入力された場合にステップＳ２２を肯定判定してステップＳ１１へ戻る。この場合には、撮影した画像データを記録媒体１２６へ記録しない。
【００３５】
一方、演算回路１０１は、全押し操作後に削除スイッチ６ｂから操作信号が入力されない場合にはステップＳ２３へ進む。ステップＳ２３において、演算回路１０１は、撮影した画像データを記録媒体１２６へ記録するように指示してステップＳ１１へ戻る。
【００３６】
なお、撮影した画像データを全て記録するように設定されている場合にはステップＳ２２の処理を省略する。
【００３７】
表示処理の詳細について、図５のフローチャートを参照して説明する。本説明では、電子カメラが第２のＡＦモード（グループ測距ＡＦモード）に設定されている場合を説明する。図５のステップＳ５１において、演算回路１０１は、記録媒体１２６に記録されている画像データのうち最新コマの画像データによる再生表示画像を表示モニタ１２８に表示するように表示回路１２７へ指示を送り、ステップＳ５２へ進む。これにより、表示モニタ１２８には図６のような再生表示画像が表示される。
【００３８】
図６において、主要被写体（花）の画像２ｂが表示モニタ１２８の画像表示領域全体に表示され、画像２ｂの右上にフォーカスエリアを示す表示２ａが重ね表示されている。重ね表示は、表示２ａを半透過で表示し、表示２ａを透して画像２ｂが確認できるように行われる。主要被写体の再生画像２ｂは、撮影画像の全体を表示モニタ１２８の画像表示領域の大きさに合わせて表示（以後、全画面表示と呼ぶ）するように、撮影画像を構成するピクセル数を表示モニタ１２８の表示ピクセル数に変換処理（間引きなど）を施した上で表示されている。
【００３９】
図７は、フォーカスエリアを示す表示２ａの拡大図である。図７において、１１個のフォーカスエリアａ〜ｋが枠７１で囲まれている。枠７１は、再生表示画像が「全画面表示」の場合にのみ表示され、フォーカスエリアａ〜ｋと撮影画面との位置関係を示す。フォーカスエリアａ〜ｋのうち、グループ測距時のグループを構成する５つのフォーカスエリアｂ、ｅ、ｆ、ｇおよびｊを示すマークが、グループを構成しないフォーカスエリアａ、ｃ、ｄ、ｈ、ｉおよびｋを示すマーク（中抜き黒四角）と異なる態様で示されている。すなわち、グループを構成する５つのフォーカスエリアｂ、ｅ、ｆ、ｇおよびｊのうち、主要被写体（花）に対応するフォーカスエリアｆを示すマークが黒四角で、グループを構成する他の４つのフォーカスエリアｂ、ｅ、ｇおよびｊを示すマークが斜め十字線つき四角で、それぞれ示されている。黒四角のマークは、主要被写体に合焦している領域（フォーカス調節のために採用したデフォーカス量が得られたフォーカスエリアであり、グループ測距時はカメラに最至近の被写体に対応する）を示す。
【００４０】
表示２ａは、以下のことを表す。
１．電子カメラは１１個のフォーカスエリアａ〜ｋを有する。
２．電子カメラは撮影時にグループ測距ＡＦモードに設定されていた。
３．グループ測距時のグループを構成する５つのフォーカスエリアはｂ、ｅ、ｆ、ｇおよびｊである。
４．主要被写体に合焦したフォーカスエリアはｆである。
５．表示２ａとともに表示されている再生表示画像は「全画面表示」である。
【００４１】
図５のステップＳ５２において、演算回路１０１は、表示コマの変更操作が行われたか否かを判定する。演算回路１０１は、コマンドダイヤル５から操作信号が入力された場合にステップＳ５２を肯定判定してステップＳ５３へ進み、コマンドダイヤル５から操作信号が入力されない場合にはステップＳ５２を否定判定し、ステップＳ５４へ進む。
【００４２】
ステップＳ５３において、演算回路１０１は、現在表示中のコマの再生表示画像に代えて、操作信号に応じたコマの画像データによる再生表示画像を表示モニタ１２８に表示するように表示回路１２７へ指示を送り、ステップＳ５４へ進む。これにより、表示モニタ１２８には記録媒体１２６に記録されている別のコマの再生表示画像が図６と同様に表示される。
【００４３】
ステップＳ５４において、演算回路１０１は、拡大操作が行われたか否かを判定する。演算回路１０１は、焦点調節指示スイッチ３ａもしくは３ｂから操作信号が入力された場合にステップＳ５４を肯定判定してステップＳ５５へ進み、焦点調節指示スイッチ３ａおよび３ｂのいずれからも操作信号が入力されない場合にはステップＳ５４を否定判定し、ステップＳ６１へ進む。
【００４４】
ステップＳ５５において、演算回路１０１は、再生表示画像の現在の表示倍率が最大倍率（表示可能な拡大倍率の上限）か否かを判定する。演算回路１０１は、表示回路１２７によって最大倍率表示が行われている場合にステップＳ５５を肯定判定してステップＳ５９へ進み、最大倍率表示が行われていない場合にはステップＳ５５を否定判定し、ステップＳ５６へ進む。
【００４５】
拡大倍率は、上述した変換処理（撮影画像を構成するピクセル数を間引き等する）の変換比率によって変化する。「全画面表示」は間引き率が最大の場合に対応し、撮影画像の範囲と表示モニタ１２８に表示中の再生表示画像の範囲とが合致する。拡大表示は、撮影画像の一部を抽出し、抽出データに対して「全画面表示」の場合と比べて低い間引き率で変換処理を施すことにより、表示モニタ１２８の画像表示領域全体に表示する。したがって、撮影画像の範囲に比べて表示モニタ１２８に表示される再生表示画像の範囲が狭い。表示モニタ１２８上の再生表示画像の範囲は、最大倍率時に最も狭くなる。拡大倍率の上限は間引き率が最も低い状態であり、抽出された撮影画像の一部を構成するピクセル数と、表示モニタ１２８の表示ピクセル数とが同等（たとえば、１：１）になる状態である。ステップＳ５９へ進む理由は、最大倍率時にさらなる拡大ができないからである。
【００４６】
ステップＳ５６において、演算回路１０１は、操作信号に応じて拡大した再生表示画像を表示モニタ１２８に表示するように表示回路１２７へ指示を送り、ステップＳ５７へ進む。この場合の拡大表示処理は、拡大表示後の再生表示画像の中央に所定のフォーカスエリアが位置するように行う。これにより、表示モニタ１２８には図８のような再生表示画像が表示される。
【００４７】
図８において、主要被写体（花）の拡大された画像２ｄが表示モニタ１２８の画像表示領域全体に表示され、画像２ｄの右上にフォーカスエリアを示す表示２ｃが重ね表示されている。拡大再生画像２ｄの中央は、後述する移動操作が行われない限り、主要被写体に合焦している領域（上記例ではフォーカスエリアｆに対応する）とする。つまり、表示回路１２７は、画像データのうちフォーカスエリアｆを含む所定範囲のデータを抽出し、この抽出データによる再生画像を表示モニタ１２８の画像表示領域の大きさに合わせて表示（拡大表示）する。
【００４８】
図９は、フォーカスエリアを示す表示２ｃの拡大図である。図７と同様に、フォーカスエリアａ〜ｋのうち、グループ測距時のグループを構成する５つのフォーカスエリアｂ、ｅ、ｆ、ｇおよびｊを示すマークが、グループを構成しないフォーカスエリアａ、ｃ、ｄ、ｈ、ｉおよびｋを示すマーク（中抜き黒四角）と異なる態様で示される。また、グループを構成する５つのフォーカスエリアｂ、ｅ、ｆ、ｇおよびｊのうち、主要被写体（花）に対応するフォーカスエリアｆを示すマークが黒四角で、グループを構成する他の４つのフォーカスエリアｂ、ｅ、ｇおよびｊを示すマークが斜め十字線つき四角で、それぞれ示されている。
【００４９】
図７と異なる点は、１１個のフォーカスエリアａ〜ｋを囲む枠が表示されない点と、拡大再生画像の中央に対応する領域（上記例ではフォーカスエリアｆに対応する）を示すマークをピーキング表示する点である。ピーキング表示は、たとえば、他のマークに比べて表示輝度を高くすることによって行われる。図９においてフォーカスエリアｆを示す黒四角マークの四辺に近接して表示した三角波形はピーキング表示を表す。
【００５０】
表示２ｃは、以下のことを表す。
１．電子カメラは１１個のフォーカスエリアａ〜ｋを有する。
２．電子カメラは撮影時にグループ測距ＡＦモードに設定されていた。
３．グループ測距時のグループを構成する５つのフォーカスエリアはｂ、ｅ、ｆ、ｇおよびｊである。
４．主要被写体に合焦したフォーカスエリアはｆである。
５．表示２ｃとともに表示されている再生表示画像は「拡大表示」であり、その倍率は最大倍率ではない。
６．表示２ｃとともに表示されている再生表示画像は、ピーキング表示されている領域に対応する。
【００５１】
図５のステップＳ５７において、演算回路１０１は、「拡大表示」の表示倍率が最大倍率（表示可能な倍率の上限）か否かを判定する。演算回路１０１は、ステップＳ５６による拡大で最大倍率表示になった場合にステップＳ５７を肯定判定してステップＳ５８へ進み、最大倍率表示になっていない場合にはステップＳ５７を否定判定し、ステップＳ５９へ進む。
【００５２】
ステップＳ５８において、演算回路１０１は、最大倍率（表示可能な拡大倍率の上限）を示す表示を行うように表示回路１２７へ指示を送り、ステップＳ５９へ進む。これにより、表示モニタ１２８には図１０のような再生表示画像が表示される。
【００５３】
図１０において、最大倍率に拡大された画像２ｆが表示モニタ１２８の画像表示領域全体に表示され、画像２ｆの右上にフォーカスエリアを示す表示２ｅが重ね表示されている。
【００５４】
図１１は、フォーカスエリアを示す表示２ｃの拡大図である。図９と同様に、フォーカスエリアａ〜ｋのうち、グループ測距時のグループを構成する５つのフォーカスエリアｂ、ｅ、ｆ、ｇおよびｊを示すマークが、グループを構成しないフォーカスエリアａ、ｃ、ｄ、ｈ、ｉおよびｋを示すマーク（中抜き黒四角）と異なる態様で示される。また、グループを構成する５つのフォーカスエリアｂ、ｅ、ｆ、ｇおよびｊのうち、主要被写体（花）に対応するフォーカスエリアｆを示すマークが黒四角で、グループを構成する他の４つのフォーカスエリアｂ、ｅ、ｇおよびｊを示すマークが斜め十字線つき四角で、それぞれ示されている。さらに、１１個のフォーカスエリアａ〜ｋを囲む枠が表示されず、拡大再生画像の中央とする領域（上記例ではフォーカスエリアｆに対応する）を示すマークがピーキング表示される。
【００５５】
図９と異なる点は、フォーカスエリアａ〜ｋの外側４隅を示すマークｍ、ｎ、ｐおよびｑを点滅表示する点である。点滅表示は、再生表示画像が最大倍率で表示されていることを表す。図１１において上下左右方向に引いた破線は点滅表示を表す。
【００５６】
表示２ｅは、以下のことを表す。
１．電子カメラは１１個のフォーカスエリアａ〜ｋを有する。
２．電子カメラは撮影時にグループ測距ＡＦモードに設定されていた。
３．グループ測距時のグループを構成する５つのフォーカスエリアはｂ、ｅ、ｆ、ｇおよびｊである。
４．主要被写体に合焦したフォーカスエリアはｆである。
５．表示２ｅとともに表示されている再生表示画像は「拡大表示」であり、その倍率は最大倍率である。
６．表示２ｅとともに表示されている再生表示画像は、ピーキング表示されている領域に対応する。
【００５７】
図５のステップＳ５９において、演算回路１０１は、移動操作が行われたか否かを判定する。演算回路１０１は、十字キー４から操作信号が入力された場合にステップＳ５９を肯定判定してステップＳ６０へ進み、十字キー４から操作信号が入力されない場合にはステップＳ５９を否定判定し、ステップＳ５２へ戻る。なお、再生表示画像が拡大されておらず、「全画面表示」である場合にもステップＳ５９を否定判定し、ステップＳ５２へ戻る。
【００５８】
ステップＳ６０において、演算回路１０１は、拡大再生画像の中央に対応する領域を操作信号が示す方向へ移動するように表示回路１２７へ指示を送り、ステップＳ５２へ戻る。たとえば、拡大再生画像がフォーカスエリアｆを中央に表示されている状態で十字キー４から右向き操作を示す操作信号が入力されたとき、演算回路１０１は、フォーカスエリアｇを中央に表示するように拡大再生画像の移動を指示する。表示中央が移動された拡大再生画像に重ね表示されるフォーカスエリア表示では、フォーカスエリアｇを示すマークがピーキング表示される。このように、十字キー４が示す向きに拡大再生画像の中央を移動させ、中央に対応するフォーカスエリアを示すマークをピーキング表示する。
【００５９】
ステップＳ６１において、演算回路１０１は、表示終了操作が行われたか否かを判定する。演算回路１０１は、再生スイッチ６ａから操作信号が入力された場合にステップＳ６１を肯定判定して図５による処理を終了し、図４のステップＳ１２へ進む。演算回路１０１は、再生スイッチ６ａから操作信号が入力されない場合にはステップＳ６１を否定判定し、ステップＳ５９へ進む。
【００６０】
以上説明した実施形態によれば、次の作用効果が得られる。
（１）記録媒体１２６に記録されているデータに基づいて表示モニタ１２８に再生表示画像を表示するとき、再生表示画像２ｂ（２ｄ、２ｆ）の右上にフォーカスエリアを示す表示２ａ（２ｃ、２ｅ）を重ねて表示するようにした。表示２ａ（２ｃ、２ｅ）を半透過で表示したので、表示２ａ（２ｃ、２ｅ）を透して画像２ｂ（２ｄ、２ｆ）を確認することができる。
【００６１】
（２）表示２ａ（２ｃ、２ｅ）は、電子カメラに備えられているフォーカスエリアａ〜ｋを表すようにしたので、再生表示画像を表示させた状態で、撮影画面におけるフォーカスエリアａ〜ｋの位置関係を示すことができる。
【００６２】
（３）表示２ａ（２ｃ、２ｅ）は、グループ測距ＡＦモード時のグループを構成する５つのフォーカスエリアｂ、ｅ、ｆ、ｇおよびｊを示すマークをグループ以外のフォーカスエリアを示すマーク（中抜き四角）と異なる態様で表示したので、再生表示画像を表示させた状態で、当該画像の撮影時に電子カメラがグループ測距ＡＦモードに設定されていたこと、およびグループを構成するフォーカスエリアを示すことができる。
【００６３】
（４）表示２ａ（２ｃ、２ｅ）は、主要被写体に合焦したフォーカスエリアｆを示すマーク（黒四角）をグループ測距ＡＦモードのグループを構成する他の４つのフォーカスエリアｂ、ｅ、ｇおよびｊを示すマーク（斜め十字線つき四角）と異なる態様で表示したので、再生表示画像を表示させた状態で、撮影画像における合焦位置を示すことができる。
【００６４】
（５）表示２ａに枠７１を含めて表示したので、再生表示画像が「全画面表示」であることを示すことができる。
【００６５】
（６）表示２ｃおよび２ｅに枠７１を含めないで表示したので、再生表示画像が「全画面表示」でなく、「拡大表示」であることを示すことができる。
【００６６】
（７）表示２ｃおよび２ｅにおいて、再生表示画像の中央に対応するフォーカスエリアを示すマーク（上記例ではフォーカスエリアｆ）をピーキング表示したので、再生表示画像が撮影画像のどの部分を表示しているか（撮影画像に対する拡大表示画像の位置）を示すことができる。
【００６７】
（８）表示２ｅで四隅ｍ、ｎ、ｐおよびｑを点滅表示したので、「拡大表示」の倍率が最大倍率であることを示すことができる。
【００６８】
（９）焦点調節指示スイッチ３ａ（３ｂ）を、撮影時はオートフォーカス調節指示に用い、再生表示画像表示時は拡大表示指示に用いるようにしたので、撮影−画像確認−撮影と繰り返し操作を行う場合の操作性が向上する。
【００６９】
（１０）再生表示画像を表示時に焦点調節指示スイッチ３ａ（３ｂ）の操作による拡大表示指示が行われると、主要被写体に合焦している領域（上記例ではフォーカスエリアｆ）が拡大表示後の中央に位置するように拡大表示するので、合焦状態の確認が行いやすい。
【００７０】
（１１）拡大表示画像を表示時に十字キー４の操作による移動指示が行われると、十字キー４の操作方向に位置するフォーカスエリアが拡大表示の中央に位置するように表示範囲を移動させるので、近接するフォーカスエリアにおけるピント状態の確認が行いやすい。
【００７１】
上述した説明では、異なる態様表示の例として、中抜きや黒色、斜め十字線つきなどを説明したが、表示色や表示輝度、点灯や点滅の有無によって態様を変えてもよい。このように、表示態様を変えて表示することで、フォーカスエリアを示す表示２ａ（２ｃ、２ｅ）の表示面積が小さくても、多くの情報を含めることができる。
【００７２】
グループ測距ＡＦモードが上下左右に隣接する５つのフォーカスエリアでグループを構成する例を示したが、グループを構成するフォーカスエリアの数、およびグループを構成するフォーカスエリアの形状は、上述したとおりの数や形状でなくてもよい。
【００７３】
電子カメラが第１のＡＦモード（単測距ＡＦモード）に設定されている場合は、以下のようにフォーカスエリアを示す表示を行う。図１２〜図１４は、単測距ＡＦモード時のフォーカスエリア表示の拡大図である。図１２において、１１個のフォーカスエリアａ〜ｋが枠１２１で囲まれている。枠１２１は、再生表示画像が「全画面表示」の場合にのみ表示され、フォーカスエリアａ〜ｋと撮影画面との位置関係を示す。黒四角のマークは、主要被写体に合焦している領域（あらかじめ選択されているフォーカスエリアｆに対応する）を示し、選択されていないフォーカスエリアａ、ｂ、ｃ、ｄ、e、ｇ、ｈ、ｉ、ｊおよびｋを示すマーク（中抜き黒四角）と異なる態様で示される。
【００７４】
図１２による表示は、以下のことを表す。
１．電子カメラは１１個のフォーカスエリアａ〜ｋを有する。
２．電子カメラは撮影時に単測距ＡＦモードに設定されていた。
３．電子カメラに選択されていたフォーカスエリアはｆである。
４．図１２による表示が重ね表示されている再生表示画像は「全画面表示」である。
【００７５】
図１３は、再生表示画像が「拡大表示」の場合のフォーカスエリア表示の拡大図である。図１２と同様に、あらかじめ選択されているフォーカスエリアｆを示すマーク（黒四角）が、選択されていないフォーカスエリアａ、ｂ、ｃ、ｄ、e、ｇ、ｈ、ｉ、ｊおよびｋを示すマーク（中抜き黒四角）と異なる態様で示される。
【００７６】
図１２と異なる点は、１１個のフォーカスエリアａ〜ｋを囲む枠が表示されない点と、拡大再生画像の中央に対応する領域（上記例ではフォーカスエリアｆに対応する）を示すマークをピーキング表示する点である。
【００７７】
図１３による表示は、以下のことを表す。
１．電子カメラは１１個のフォーカスエリアａ〜ｋを有する。
２．電子カメラは撮影時に単測距ＡＦモードに設定されていた。
３．電子カメラに選択されていたフォーカスエリアはｆである。
４．図１３による表示が重ね表示されている再生表示画像は「拡大表示」であり、その倍率は最大倍率ではない。
５．図１３による表示が重ね表示されている再生表示画像は、ピーキング表示されている領域に対応する。
【００７８】
図１４は、再生表示画像が「拡大表示」で、最大倍率の場合のフォーカスエリア表示の拡大図である。図１３と同様に、あらかじめ選択されているフォーカスエリアｆを示すマーク（黒四角）が、選択されていないフォーカスエリアａ、ｂ、ｃ、ｄ、e、ｇ、ｈ、ｉ、ｊおよびｋを示すマーク（中抜き黒四角）と異なる態様で示される。１１個のフォーカスエリアａ〜ｋを囲む枠が表示されず、拡大再生画像の中央に対応する領域（上記例ではフォーカスエリアｆに対応する）を示すマークがピーキング表示される。
【００７９】
図１３と異なる点は、フォーカスエリアａ〜ｋの外側４隅を示すマークｒ、ｓ、ｔおよびｕを点滅表示する点である。
【００８０】
図１４による表示は、以下のことを表す。
１．電子カメラは１１個のフォーカスエリアａ〜ｋを有する。
２．電子カメラは撮影時に単測距ＡＦモードに設定されていた。
３．電子カメラに選択されていたフォーカスエリアはｆである。
４．図１４による表示が重ね表示されている再生表示画像は「拡大表示」であり、その倍率は最大倍率である。
５．図１４による表示が重ね表示されている再生表示画像は、ピーキング表示されている領域に対応する。
【００８１】
フォーカスエリア表示の位置は、必ずしも表示モニタ１２８上の表示画像の右上でなくてもよく、たとえば、左上でもよい。ただし、表示画像の中央は避けるのが好ましい。
【００８２】
十字キー４の操作によって移動指示が行われると、十字キー４の操作方向に位置するフォーカスエリアが拡大表示の中央に位置するように表示範囲を移動させたが、十字キー４の操作方向にかかわらず、主要被写体に合焦しているフォーカスエリアを常に拡大表示の中央に位置させておいてもよい。この場合には、再生表示画像の中央に対応するフォーカスエリアを示すマークをピーキング表示しなくてもよい。
【００８３】
以上の説明では、フォーカスエリアの表示を例にあげて説明したが、フォーカスエリアの他にも本発明を適用することができる。たとえば、露出演算に用いる被写体輝度を撮影画面における複数の領域（測光領域）についてそれぞれ行うことが可能に構成されている場合には、測光領域を示す表示に適用してもよい。
【００８４】
上述した図５の処理を行う画像表示プログラムを用意し、このプログラムをパーソナルコンピュータなどに取込んで画像表示装置として使用することができる。この場合には、パーソナルコンピュータのデータストレージ装置にプログラムをローディングした上で当該プログラムを実行させることにより、画像表示装置として使用する。プログラムのローディングは、プログラムを格納した記録媒体をパーソナルコンピュータにセットして行ってもよいし、ネットワークを経由する方法でパーソナルコンピュータなどにローディングしてもよい。
【００８５】
特許請求の範囲における各構成要素と、発明を実施するための最良の形態における各構成要素との対応について説明する。表示装置は、たとえば、表示モニタ１２８によって構成される。表示制御装置は、たとえば、電子カメラによって構成される。選択されていた領域は、たとえば、フォーカスエリアが対応する。表示画像は、たとえば、再生表示画像２ｂ（２ｄ、２ｆ）が対応する。表示画像生成手段および情報生成手段は、たとえば、表示回路１２７によって構成される。領域の位置を示す情報は、たとえば、表示２ａ（２ｃ、２ｅ）が対応する。制御手段は、たとえば、演算回路１０１によって構成される。設定されていた動作モードおよび第２のＡＦモードは、たとえば、グループ測距ＡＦモードが対応する。第１のＡＦモードは、たとえば、単測距ＡＦモードが対応する。なお、本発明の特徴的な機能を損なわない限り、各構成要素は上記構成に限定されるものではない。
【図面の簡単な説明】
【００８６】
【図１】本発明の一実施の形態による表示制御装置を備える電子スチルカメラの要部構成を説明するブロック図である。
【図２】焦点検出領域を説明する図である。
【図３】電子カメラの背面図である。
【図４】演算回路で行われるカメラ処理の流れを説明するフローチャートである。
【図５】表示処理の詳細を説明するフローチャートである。
【図６】表示モニタに表示される再生表示画像の例を示す図である。
【図７】図６のうちフォーカスエリアを示す表示の拡大図である。
【図８】表示モニタに表示される再生表示画像の例を示す図である。
【図９】図８のうちフォーカスエリアを示す表示の拡大図である。
【図１０】表示モニタに表示される再生表示画像の例を示す図である。
【図１１】図１０のうちフォーカスエリアを示す表示の拡大図である。
【図１２】フォーカスエリアを示す表示の拡大図である。
【図１３】フォーカスエリアを示す表示の拡大図である。
【図１４】フォーカスエリアを示す表示の拡大図である。
【符号の説明】
【００８７】
１…電子カメラ
２ａ（２ｃ、２ｅ）…フォーカスエリア表示
２ｂ（２ｄ、２ｆ）…再生表示画像
３ａ、３ｂ…焦点調節指示スイッチ
４…十字キー
６ａ…再生スイッチ
６ｂ…削除スイッチ
６ｃ…メニュースイッチ
６ｄ…決定スイッチ
１０１…演算回路
１１２…焦点検出装置
１１３…レンズ駆動装置
１１５…設定操作部材
１２１…撮像素子
１２３…画像処理回路
１２５…バッファメモリ
１２６…記録媒体
１２７…表示回路
１２８（２）…表示モニタ
【図１】
2005303522.tif 000003
【図２】
2005303522.tif 000004
【図３】
2005303522.tif 000005
【図４】
2005303522.tif 000006
【図５】
2005303522.tif 000007
【図６】
2005303522.tif 000008
【図７】
2005303522.tif 000009
【図８】
2005303522.tif 000010
【図９】
2005303522.tif 000011
【図１０】
2005303522.tif 000012
【図１１】
2005303522.tif 000013
【図１２】
2005303522.tif 000014
【図１３】
2005303522.tif 000015
【図１４】
2005303522.tif 000016